(57)【要約】【課題】表示装置の焼き付きを防止しつつ、ユーザに違和感を与えない表示を可能にすることを課題とする。【解決手段】表示制御装置は、表示装置（２３）に近接したユーザが存在することを検知する検知手段（２４）と、前記検知手段（２４）による検知の結果に基づいて、前記表示装置（２３）に表示する画像の表示位置を制御する制御手段（５１）とを有する。【選択図】図５
2019200309.tif 000002
【特許請求の範囲】
【請求項１】
表示装置に近接したユーザが存在することを検知する検知手段と、
前記検知手段による検知の結果に基づいて、前記表示装置に表示する画像の表示位置を制御する制御手段と、
を有することを特徴とする表示制御装置。
【請求項２】
前記制御手段は、前記検知手段によって前記近接したユーザの存在が検知されている場合、前記画像の表示位置の変更を許可しないように制御することを特徴とする請求項１に記載の表示制御装置。
【請求項３】
前記制御手段は、前記検知手段により前記近接したユーザの存在が検知されていない場合、前記画像の表示位置の変更を許可しないように制御することを特徴とする請求項１に記載の表示制御装置。
【請求項４】
前記表示装置は第一の表示装置と第二の表示装置の少なくとも二つの表示装置を含み、
前記検知手段は前記第一の表示装置に近接したユーザが存在することを検知し、
前記制御手段は、
前記検知手段によって前記近接したユーザの存在が検知されている場合、前記第一の表示装置について前記画像の表示位置の変更を許可しないように制御し、
前記検知手段によって前記近接したユーザの存在が検知されていない場合、前記第二の表示装置について前記画像の表示位置の変更を許可しないように制御することを特徴とする請求項１に記載の表示制御装置。
【請求項５】
前記表示装置は、前記画像の表示位置を第一の方向と第二の方向とに移動可能な表示装置であり、
前記制御手段は、前記画像の表示位置を移動させる場合、
前記検知手段によって前記近接したユーザの存在が検知されているときには前記第一の方向へ移動させるように制御し、
前記検知手段によって前記近接したユーザの存在が検知されていないときには前記第二の方向に移動させるように制御することを特徴とする請求項１に記載の表示制御装置。
【請求項６】
前記表示装置は、前記画像の表示位置を第一の方向と第二の方向とに移動可能な表示装置であり、
前記制御手段は、前記画像の表示位置を移動させる場合、
前記検知手段によって前記近接したユーザの存在が検知されていないときには前記第一の方向へ移動させるように制御し、
前記検知手段によって前記近接したユーザの存在が検知されているときには前記第二の方向に移動させるように制御することを特徴とする請求項１に記載の表示制御装置。
【請求項７】
前記表示装置は、前記画像の表示位置を第一の方向と第二の方向とに移動可能な、第一の表示装置と第二の表示装置との少なくとも二つの表示装置を含み、
前記検知手段は前記第一の表示装置に近接したユーザが存在することを検知し、
前記制御手段は、前記画像の表示位置を移動させる場合、
前記第一の表示装置について、前記検知手段によって前記近接したユーザの存在が検知されているときには前記第一の方向へ移動させ、前記検知手段によって前記近接したユーザの存在が検知されていないときには前記第二の方向に移動させるように制御し、
前記第二の表示装置について、前記検知手段によって前記近接したユーザの存在が検知されているときには前記第二の方向へ移動させ、前記検知手段によって前記近接したユーザの存在が検知されていないときには前記第一の方向に移動させるように制御することを特徴とする請求項１に記載の表示制御装置。
【請求項８】
前記表示装置は画素配列の画素ピッチが配列方向により異なった表示装置であり、
前記第一の方向は前記表示装置の前記画素ピッチが小さい方の配列方向に対応し、
前記第二の方向は前記表示装置の前記画素ピッチが大きい方の配列方向に対応することを特徴とする請求項５から７のいずれか１項に記載の表示制御装置。
【請求項９】
前記制御手段は、前記画像の表示位置を移動させる場合、
前記検知手段によって前記近接したユーザの存在が検知されているときには前記画像の表示位置を第一の移動量で移動させるように制御し、
前記検知手段によって前記近接したユーザの存在が検知されていないときには前記画像の表示位置を第二の移動量で移動させるように制御することを特徴とする請求項１に記載の表示制御装置。
【請求項１０】
前記制御手段は、前記画像の表示位置を移動させる場合、
前記検知手段によって前記近接したユーザの存在が検知されていないときには前記画像の表示位置を第一の移動量で移動させるように制御し、
前記検知手段によって前記近接したユーザの存在が検知されているときには前記画像の表示位置を第二の移動量で移動させるように制御することを特徴とする請求項１に記載の表示制御装置。
【請求項１１】
前記表示装置は第一の表示装置と第二の表示装置の少なくとも二つの表示装置を含み、
前記検知手段は前記第一の表示装置に近接したユーザが存在することを検知し、
前記制御手段は、前記画像の表示位置を移動させる場合、
前記第一の表示装置について、前記検知手段によって前記近接したユーザの存在が検知されているときには前記画像の表示位置を第一の移動量で移動させ、前記検知手段によって前記近接したユーザの存在が検知されていないときには前記画像の表示位置を前記第二の移動量で移動させるように制御し、
前記第二の表示装置について、前記検知手段によって前記近接したユーザの存在が検知されているときには前記画像の表示位置を第二の移動量で移動させ、前記検知手段によって前記近接したユーザの存在が検知されていないときには前記画像の表示位置を前記第一の移動量で移動させるように制御することを特徴とする請求項１に記載の表示制御装置。
【請求項１２】
前記表示装置は画素配列の画素ピッチが配列方向により異なった表示装置であり、
前記第一の移動量は前記表示装置の前記画素ピッチが小さい配列方向への移動量であり、
前記第二の移動量は前記表示装置の前記画素ピッチが大きい配列方向への移動量であることを特徴とする請求項９から１１のいずれか１項に記載の表示制御装置。
【請求項１３】
カメラによる合焦の結果を表す情報を取得する取得手段を有し、
前記制御手段は、前記検知手段による検知の結果と前記合焦の結果とに基づいて、前記表示装置に表示する画像の表示位置を制御することを特徴とする請求項１に記載の表示制御装置。
【請求項１４】
前記制御手段は、前記合焦の結果が前記合焦していることを示す場合、前記画像の表示位置の変更を許可しないように制御することを特徴とする請求項１３に記載の表示制御装置。
【請求項１５】
前記表示装置はカメラのファインダ内に搭載された表示装置であり、
前記検知手段は前記カメラのファインダに近接したユーザが存在することを検知する近接検知センサであることを特徴とする請求項２、５、９、１３、１４のいずれか１項に記載の表示制御装置。
【請求項１６】
前記表示装置はカメラの背面筐体に設けられた表示装置であり、
前記検知手段は前記カメラのファインダに近接したユーザが存在することを検知する近接検知センサであることを特徴とする請求項３、６、１０、１３、１４のいずれか１項に記載の表示制御装置。
【請求項１７】
前記第一の表示装置はカメラのファインダ内に搭載された表示装置であり、
前記第二の表示装置はカメラの背面筐体に設けられた表示装置であり、
前記検知手段は前記カメラのファインダに近接したユーザが存在することを検知する近接検知センサであることを特徴とする請求項４、７、１１のいずれか１項に記載の表示制御装置。
【請求項１８】
請求項１から１７のいずれか１項に記載の表示制御装置を有することを特徴とするカメラ。
【請求項１９】
表示装置に近接したユーザが存在することを検知する検知工程と、
前記検知工程による検知の結果に基づいて、前記表示装置に表示する画像の表示位置を制御する制御工程と、
を有することを特徴とする表示制御方法。
【請求項２０】
コンピュータを、請求項１から１７のいずれか１項に記載の表示制御装置の各手段として機能させるためのプログラム。
【発明の詳細な説明】
【技術分野】
【０００１】
本発明は、画像を表示する表示装置の制御技術に関する。
【背景技術】
【０００２】
従来、画像を表示する表示装置において最大画像サイズよりも大きな表示領域を持たせておき、表示する位置を適切に移動させることにより、表示装置の焼き付きを防止する技術が知られている。表示する位置を移動させるのは、表示される位置を分散させることで表示装置の劣化が一カ所に集中することを防ぐために行われる。例えば、特許文献１には、画像を表示する位置を周期的あるいはランダムに変更して焼き付きを防止する技術が開示されている。
【先行技術文献】
【特許文献】
【０００３】
【特許文献１】特開２００５−１４８５５８号公報
【発明の概要】
【発明が解決しようとする課題】
【０００４】
しかしながら、上述の特許文献に開示された技術では、ユーザが表示装置の画像を見ている時に表示位置が移動するため、ユーザは違和感を覚えることがある。
そこで、本発明は、表示装置の焼き付きを防止しつつ、ユーザに違和感を与えない表示を可能にすることを目的とする。
【課題を解決するための手段】
【０００５】
本発明の表示制御装置は、表示装置に近接したユーザが存在することを検知する検知手段と、前記検知手段による検知の結果に基づいて、前記表示装置に表示する画像の表示位置を制御する制御手段と、を有することを特徴とする。
【発明の効果】
【０００６】
本発明によれば、表示装置の焼き付きを防止しつつ、ユーザに違和感を与えない表示が可能となる。
【図面の簡単な説明】
【０００７】
【図１】カメラの概略的な外観図である。
【図２】反射光方式の近接検知センサの構成例を示す図である。
【図３】カメラの構え方に応じた近接検知センサ出力の例を示した図である。
【図４】近接検知センサ出力と点灯／消灯制御のタイミングを説明する図である。
【図５】カメラ内の表示制御に関連する構成を示したブロック図である。
【図６】ＶＲＡＭ内で画像の表示位置を移動させる例を説明する図である。
【図７】表示位置を移動させる表示制御の概要説明図である。
【図８】近接検知センサ出力に応じた表示制御のフローチャートである。
【図９】画素配列と画素ピッチの例を説明する図である。
【図１０】表示位置の移動方向と移動量を変更する例を説明する図である。
【図１１】移動方向と移動量を変更する表示制御のフローチャートである。
【図１２】テレビジョン受像機とユーザ検知例を説明する図である。
【図１３】合焦に応じて表示位置を制御する例を説明する図である。
【図１４】合焦に応じた表示制御のフローチャートである。
【発明を実施するための形態】
【０００８】
以下、本発明の好ましい実施の形態を、添付の図面に基づいて詳細に説明する。なお、以下の実施形態において示す構成は一例にすぎず、本発明は図示された構成に限定されるものではない。
＜カメラの概略外観＞
図１（ａ）、図１（ｂ）は、本実施形態の表示制御装置および表示装置を搭載しているデジタルカメラ（以下、カメラ１１とする。）の概略的な外観図である。図１（ａ）はカメラ１１を正面側（レンズ側）から見た図であり、図１（ｂ）はカメラ１１を背面側（ディスプレイ側）から見た図である。本実施形態のカメラ１１は、背面筐体上の所定位置に設けられた背面表示装置２２と、カメラファインダの内部に設けられたファインダ内表示装置２３との二つの表示装置を備えている。これら背面表示装置２２とファインダ内表示装置２３の表示面は、いずれも略々同じ方向を向くように配置されている。なお背面表示装置２２とファインダ内表示装置２３は、液晶パネルや有機ＥＬパネル等により構成されている。背面表示装置２２は、ある程度大きな画面を備えており、例えばユーザが撮影時の構図の確認や撮影した写真の出来栄えの確認、カメラの設定などの際に使用される。そして、背面表示装置２２の表示画像を見る場合、ユーザは、眼からカメラ１１をある程度離すようにして持つことになる。一方、ファインダ内表示装置２３は、一般的には背面表示装置２２よりも小さい画面である。ユーザは、例えば撮影時の構図を確認する際などに、眼を近づけてファインダ内表示装置２３を覗くようにしてカメラ１１を構えることが多い。
【０００９】
また本実施形態のカメラ１１は、ユーザがファインダ内表示装置２３と背面表示装置２２のどちらを見ているかを検出するための構成として、近接検知センサ２４を備えている。近接検知センサ２４は、カメラ１１に近接してユーザが存在しているか否かを検知するためのセンサである。本実施形態のカメラ１１の場合、近接検知センサ２４は例えばファインダ近辺に設けられている。近接検知センサ２４としては数々な方式のものがあるが、一例として、図２には反射光方式の近接検知センサの構成例を示す。図２に示した近接検知センサは、発光ダイオード３１の発光部とフォトトランジスタ３４の受光部が略々同じ側に配されて構成されている。例えば、近接した物体３２が存在している場合、発光ダイオード３１から出射された光が物体３２により反射され、その反射光３３がフォトトランジスタ３４にて受光されることにより、センサ出力３５はＬｏｗ（ロー）になる。一方、近接した物体３２が存在しない場合や、発光ダイオード３１から出射された光が物体３２で反射されず透過３６等する場合、フォトトランジスタ３４では光を受光できないため、センサ出力３５はＨｉ（ハイ：Ｈｉｇｈ）になる。
【００１０】
そして、本実施形態のカメラ１１は、センサ出力３５がＬｏｗである場合、ユーザが眼をファインダ内表示装置２３に近づけ、そのファインダ内表示装置２３の画面を見ている可能性が高いと判断する。一方、センサ出力３５がＨｉである場合、本実施形態のカメラ１１は、ユーザが眼をカメラ１１から遠ざけていて、ファインダ内表示装置２３を覗いておらず、背面表示装置２２の画面を見ている可能性があると判断する。図３は、近接検知センサ２４のセンサ出力と、ユーザが背面表示装置２２とファインダ内表示装置２３のいずれかを見ている状態との対応関係を示した図である。図３に示すように、センサ出力がＨｉの場合、ユーザは背面表示装置２２を見ている状態３７であると考えられ、センサ出力がＬｏｗの場合、ユーザはファインダ内表示装置２３を見ている状態３８であると考えられる。
【００１１】
また、本実施形態のカメラ１１は、近接検知センサ２４のセンサ出力を基に、ユーザがファインダ内表示装置２３の画面を見ていないと判断した場合には当該ファインダ内表示装置２３を消灯し、背面表示装置２２を点灯するように制御する。一方、カメラ１１は、近接検知センサ２４のセンサ出力を基に、ユーザがファインダ内表示装置２３を覗いていると判断した場合には背面表示装置２２を消灯し、ファインダ内表示装置２３を点灯するように制御する。これにより、カメラ１１の消費電力の低減が可能となる。
【００１２】
ここで、ファインダ内表示装置２３を見る時のユーザは、直ぐにでも撮影を行いたい状況である可能性が高いと考えられる。このため、近接検知センサ２４によってユーザの近接が検知された場合、カメラ１１では、即座にファインダ内表示装置２３が点灯されることが望ましい。一方で、近接検知センサ２４がユーザを検知している状態から検知しない状態に変化した場合にファインダ内表示装置２３を即座に消灯すると、ユーザは、ファインダ内表示装置２３の表示を見たいのに消えてしまったと感じてしまうこともあると考えられる。このため、近接検知センサ２４がユーザを検知していた状態から検知しない状態に変化した場合には、その変化が検知されたタイミングから、ある程度の時間をおいてファインダ内表示装置２３を消灯することが望ましい。
【００１３】
図４は、近接検知センサ２４のセンサ出力と、ファインダ内表示装置２３および背面表示装置２２の点灯／消灯のタイミングとの関係を示した図である。カメラ１１は、図４に示すように、センサ出力がＨｉからＬｏｗに変化した場合には、その変化のタイミングから所定の短い時間Ｔ１内でファインダ内表示装置２３を点灯すると共に背面表示装置２２を消灯する。一方、カメラ１１は、センサ出力がＬｏｗからＨｉに変化した場合には、その変化のタイミングから所定の長い時間Ｔ２（Ｔ２＞Ｔ１）後にファインダ内表示装置２３を消灯すると共に背面表示装置２２を点灯する。
【００１４】
図５は、本実施形態のカメラ１１の内部構成のうち、特に、近接検知センサ２４のセンサ出力に基づいて、背面表示装置２２とファインダ内表示装置２３の点灯／消灯制御、および、後述する表示位置を移動させる表示制御を行うための構成例を示した図である。なお図５では図示を省略するが、本実施形態のカメラ１１は、レンズ系およびその駆動回路と撮像素子等からなる撮像系デバイス、撮像系デバイスからの撮像データに各種画像処理を施す画像処理回路系、ユーザにより操作される操作系デバイス等をも有している。これら撮像系デバイス、画像処理回路系、操作系デバイス等は、一般的なデジタルカメラが備えているものと同様であるため、それらの詳細な説明については省略する。
【００１５】
ＣＰＵ５１は、本実施形態のカメラ１１の全体を制御する。ＶＲＡＭ５６は画像メモリであり、画像処理回路系による画像処理で生成された画像データを記憶する。このＶＲＡＭ５６に記憶されている画像データは、背面表示装置２２やファインダ内表示装置２３に表示される画像のデータである。ＶＣＯＮＴ５５は表示制御部であり、ＣＰＵ５１による制御の下、ＶＲＡＭ５６に展開されている画像データを読み出して、背面表示装置２２またはファインダ内表示装置２３に送って表示させる。ＲＯＭ５２は、書き換え可能な不揮発性メモリであり、ＣＰＵ５１が実行する本実施形態に係るプログラムや各種設定値を格納している。
【００１６】
またＣＰＵ５１は、背面表示装置２２とファインダ内表示装置２３の点灯／消灯の制御も行う。本実施形態の場合、ＣＰＵ５１は、近接検知センサ２４からのセンサ出力を基に、ユーザが背面表示装置２２とファインダ内表示装置２３のいずれの表示装置を見ているのかを判断し、その判断結果に応じてＶＣＯＮＴ５５を制御する。例えばＣＰＵ５１は、ユーザがファインダ内表示装置２３を見ていると判断した場合、ＶＣＯＮＴ５５を通じて、ＶＲＡＭ５６に収められた画像データをファインダ内表示装置２３に送って表示させると共に、背面表示装置２２を消灯させる。また、ＣＰＵ５１は、ユーザがファインダ内表示装置２３を見ていないと判断した場合、ＶＣＯＮＴ５５を通じて、ＶＲＡＭ５６に収められた画像データを背面表示装置２２に送って表示させると共に、ファインダ内表示装置２３を消灯させる。
【００１７】
ここで、本実施形態のカメラ１１は、背面表示装置２２やファインダ内表示装置２３の焼き付きを防止する機能も備えている。本実施形態のカメラ１１は、背面表示装置２２やファインダ内表示装置２３に表示される画像の位置を移動させる表示制御を行い、同じ表示位置に画像が長い時間描画されないように画像の描画領域を分散させることによって焼き付きを防止する。
【００１８】
＜第一の実施形態＞
以下、表示装置の焼き付きを防止する表示制御を実現する第一の実施形態について説明する。なお、以下の説明では、特に背面表示装置２２とファインダ内表示装置２３の区別が必要な場合を除き、それらをまとめて「表示装置」とのみ記載する。
【００１９】
画像の表示位置を移動させるような表示を行う場合、表示装置における表示可能なサイズおよびＶＲＡＭ５６の必要サイズは、実際に表示する画像サイズに、その画像を移動可能にするための移動代（動かし代）を加えたサイズとなる。なお、画像の表示位置を動かすときには、移動のレベルに応じて画像を描き始めるタイミングを調整する方法もあるが、近年はＶＲＡＭを潤沢に利用できるようになってきたため、ＶＲＡＭ上で画像の位置を動かした方が容易に実現できる。
【００２０】
以下、ＶＲＡＭ上で画像の位置を動かす例について、図６を参照しながら説明する。図６は、ＶＲＡＭ６７に展開された画像の一例を表した図である。ここで、図６内の「Ａ」は画像の一例を表しており、図中の破線で示す領域６１は表示可能な画像の最大サイズを表しているとする。また、図中のそれぞれ破線で示した領域６２，６３，６４，６４は、画像「Ａ」をＶＲＡＭ６７内で動かした場合のそれぞれ移動後の最大画像サイズおよび画像位置を表しているとする。つまり、それら領域６２，６３，６４，６４は、表示装置の焼き付き防止のために、ＶＲＡＭ６７内で画像「Ａ」を上下左右方向に最大限動かした場合のそれぞれの位置を表している。このため、ＶＲＡＭ６７は、それら各位置で画像「Ａ」を表示できるだけの容量を有している。また、表示装置も同様に、ＶＲＡＭ６７上の各位置の画像「Ａ」を表示できるだけの画面サイズを有しているとする。これにより、表示装置上で画像「Ａ」を動かしたいときには、ＶＲＡＭ６７に画像「Ａ」を書き込む位置を移動させるのみ、例えば領域６１から領域６２に移動させるのみで、それ以降の制御を変更することなく表示位置を移動させることができる。
【００２１】
しかしながら、例えばユーザが表示装置の画像を見ている時に表示位置を変更すると、ユーザはその動きに違和感を覚えることになる。特に、ファインダ内表示装置２３の場合、ユーザはその表示画面を注視しているため、表示位置の移動による画像の動きが眼につき易く、違和感を覚えることになる。図７（ａ）は、ユーザ７０がファインダ内表示装置２３を覗くようにカメラを構えている状態を表しており、そのときファインダ内表示装置に表示される画像７２，７３の一例を示した図である。図７（ａ）において、画像７３は、画像７２に対して表示位置が例えば垂直方向に移動量Ｖ１だけ動かされた場合の例を示している。このようにファインダ内表示装置２３を覗いている際に画像７２から画像７３のように表示位置が移動すると、ユーザ７０は、違和感を覚えることになる。
【００２２】
このため、第一の実施形態のカメラ１１は、ユーザがファインダ内表示装置２３を覗いていない場合に、例えば垂直方向に移動量Ｖ２だけ表示位置を移動させるように制御する。図７（ｂ）は、ユーザ７４がファインダ内表示装置２３を覗いていない状態を表しており、そのときのファインダ内表示装置２３内における画像の表示位置の一例を示した図である。図７（ｂ）において、画像７６は、画像７５に対して表示位置が例えば垂直方向に移動量Ｖ２だけ動かされた状態の例を示している。なお、図７（ｂ）で示した移動量Ｖ２は、図７（ａ）で示した移動量Ｖ１と同じであってもよいし、異なっていてもよい。
【００２３】
この図７（ｂ）の例のように、ユーザ７４がファインダ内表示装置２３を覗いていない場合に画像の位置を移動させたとしても、この時のユーザ７４はファインダ内の画像を見ていないため、違和感を持つことはない。すなわち本実施形態のカメラ１１は、近接検知センサ２４のセンサ出力から、ユーザがファインダ内表示装置２３から目を離したと判断できた場合に、ファインダ内表示装置２３における画像の表示位置を移動させるようにする。このため、例えばユーザが再びファインダ内表示装置２３を覗いた時、そのファインダ内表示装置２３には既に表示位置が移動した後の画像が表示されるため、ユーザが違和感を覚えることはない。
【００２４】
また本実施形態において、このような表示制御は、背面表示装置２２についても同様に行われる。つまり、本実施形態のカメラ１１は、近接検知センサの出力から、ユーザがファインダ内表示装置２３を覗いておらず、背面表示装置２２を見ている状態であると判断した場合には、背面表示装置２２に対する表示位置の移動制御を行わない。そして、カメラ１１は、ユーザがファインダ内表示装置２３を覗いたことが検知された時、つまり背面表示装置２２を見ていないと判断された場合に、背面表示装置２２における画像の表示位置を移動させる。これにより、ユーザが再び背面表示装置２２を見た時、背面表示装置２２には表示位置が移動した後の画像が表示された状態になっているため、ユーザが違和感を覚えることはない。
【００２５】
なお、表示装置の画像表示位置を移動させる制御は、その表示装置における積算稼動時間等を基に実行することが望ましい。すなわち、表示装置における積算稼動時間が長い場合には、例えば近接検知センサのセンサ出力が変化するごとに表示位置を移動させるようにして焼き付きを防止するようにする。また例えば、表示装置における積算稼動時間が短く、焼き付きの虞が少ない場合には、例えば近接検知センサのセンサ出力が何度か変化（例えば設定した回数分だけ変化）したときに表示位置を移動させるようにしてもよい。
【００２６】
図８（ａ）と図８（ｂ）には、第一の実施形態における焼き付き防止のための表示制御のフローチャートを示す。図８（ａ）はファインダ内表示装置２３に対する表示制御のフローチャートを、図８（ｂ）は背面表示装置２２に対する表示制御のフローチャートを示している。これら図８（ａ）と図８（ｂ）のフローチャートの処理は、例えばＣＰＵ５１がＲＯＭ５２に格納されているプログラムを実行することにより実現される。ＣＰＵ５１が実行するプログラムは、ＲＯＭ５２に予め格納されている場合だけでなく、不図示の外部メモリ等の記録媒体から取得されてもよく、或いは不図示のネットワーク等を介して取得されてもよい。また、これらのフローチャートの処理は、ＣＰＵ５１が実行するプログラムによるソフトウェア構成だけでなく、ハードウェア構成により実現されてもよく、一部がハードウェア構成で残りがソフトウェア構成により実現されてもよい。以下の説明では、各処理のステップＳ８１〜ステップＳ８６をＳ８１〜Ｓ８６と略記する。これらのことは後述する他のフローチャートにおいても同様であるとする。
【００２７】
先ず図８（ａ）を参照してファインダ内表示装置２３に対する表示制御から説明する。
Ｓ８１において、ＣＰＵ５１は、近接検知センサ２４からのセンサ出力を基に、ユーザの近接を検知しているか否かを判定する。そして、ＣＰＵ５１は、近接検知センサ２４のセンサ出力により、ユーザが近接していると判定した場合にはＳ８２に処理を進め、一方、ユーザが近接していないと判定した場合にはＳ８３に処理を進める。
【００２８】
Ｓ８２に進んだ場合、ＣＰＵ５１は、ファインダ内表示装置２３における画像の表示位置の移動を許可しないようにして、ＶＣＯＮＴ５５を制御し、その後、Ｓ８１に処理を戻す。一方、Ｓ８３に進んだ場合、ＣＰＵ５１は、ファインダ内表示装置２３における画像の表示位置の移動を許可して、ＶＣＯＮＴ５５を制御し、その後、Ｓ８１に処理を戻す。
【００２９】
次に、図８（ｂ）を参照して背面表示装置２２に対する表示制御について説明する。
Ｓ８１の判定処理は、図８（ａ）のＳ８１の判定処理と同様である。Ｓ８１において、ＣＰＵ５１は、近接検知センサ２４のセンサ出力により、ユーザが近接していると判定した場合にはＳ８６に処理を進め、一方、ユーザが近接していないと判定した場合にはＳ８７に処理を進める。
【００３０】
Ｓ８７に進んだ場合、ＣＰＵ５１は、背面表示装置２２における画像の表示位置の移動を許可しないようにして、ＶＣＯＮＴ５５を制御し、その後、Ｓ８１に処理を戻す。一方、Ｓ８６に進んだ場合、ＣＰＵ５１は、背面表示装置２２における画像の表示位置の移動を許可するようにして、ＶＣＯＮＴ５５を制御し、その後、Ｓ８１に処理を戻す。
【００３１】
図８（ａ）と図８（ｂ）のフローチャートは別々の処理として示しているが、ＣＰＵ５１は、これら両方の表示制御を行う。すなわち、ＣＰＵ５１は、ユーザが近接していると判定した場合にはファインダ内表示装置２３における画像の表示位置の移動を許可せず、一方、背面表示装置２２では表示位置の移動を許可するようにして、ＶＣＯＮＴ５５を制御する。また、ＣＰＵ５１は、ユーザが近接していないと判定した場合には背面表示装置２２における画像の表示位置の移動を許可せず、一方、ファインダ内表示装置２３では表示位置の移動を許可するようにして、ＶＣＯＮＴ５５を制御する。
【００３２】
前述したように第一の実施形態によれば、ユーザが表示装置を見ていない時に、その表示装置に表示する画像の表示位置を移動させる表示制御を行うことで、表示装置の焼き付きを防止しつつ、ユーザに違和感を与えない表示を実現できる。
【００３３】
＜第二の実施形態＞
以下、表示装置の焼き付きを防止する表示制御を実現する第二の実施形態について説明する。第二の実施形態では、焼き付き防止のために画像を移動させる表示制御の際に、表示装置の画素ピッチおよび画素配列に応じた制御を行う。
ここで、表示装置の画素ピッチおよび画素配列は、基準とする方向に対して同一になるように設定されている。基準とする方向は、一般的には縦横方向であるが、後述するデルタ配列の画素配列のように斜め方向となる場合もある。
【００３４】
図９（ａ）は、いわゆるストライプ配列と呼ばれる画素配列を示した例であり、三原色のＲ，Ｇ，Ｂに対応した各画素９０がそれぞれ長方形となされている。ストライプ配列の場合、基準とする方向は縦横方向である。図９（ａ）に示したストライプ配列の場合、Ｒ，Ｇ，Ｂの各画素９０のサイズは横の長さに対して縦の長さが概ね三倍になされており、縦方向および横方向の画素ピッチは同一である。図９（ａ）の例において、図中の矢印９１，９２はＲ画素の画素ピッチを表しており、縦方向の矢印９１で示す画素ピッチと横方向の矢印９２で示す画素ピッチは概ね長さが同じであり、縦横の同色画素ピッチが略々同じになっている。
【００３５】
図９（ｂ）は、いわゆるデルタ配列と呼ばれる画素配列を示した例であり、Ｒ，Ｇ，Ｂの各画素９３がそれぞれ６角形となされている。このデルタ配列の場合、各画素９３が直交する方向に配列されていないので、図９（ａ）のストライプ配列の場合とは同色の画素が並ぶ方向が異なるが、同色の画素ピッチは同じである。図９（ｂ）の例において、図中の矢印９４，９５はＲ画素の画素ピッチを表しており、下方向の矢印９４で表される画素ピッチと斜め下方向の矢印９５で表される画素ピッチとは概ね長さが同じであり、これら同色画素ピッチは略々同じになっている。
【００３６】
図９（ｃ）は、方向によって画素ピッチが異なる画素配置、つまり画素配列の配列方向によって画素ピッチが異なっている例を示しており、Ｒ，Ｇ，Ｂの各画素９６がそれぞれ略々正方形となされている。この図９（ｃ）の画素配列において、図中の矢印９７，９８はＲ画素の画素ピッチを表している。図９（ｃ）の画素配列の場合、図９（ａ）のストライプ配列の各画素とは異なり、画素サイズが正方形に近いため、縦方向の矢印９７で示す画素ピッチと横方向の矢印９８で示す画素ピッチが異なる（矢印の長さが異なる）。この図９（ｃ）の例のように画素が並んでいる方向によって画素ピッチが異なると、最小の単位で画像を動かす場合に、方向によって画像の移動量が異なることになる。すなわち図９（ｃ）の例の場合、縦方向について最小の単位で画像を移動させた時の移動量は１画素ピッチ分であるが、横方向について最小の単位で画像を移動させた時の移動量は３画素ピッチ分となる。このため、図９（ｃ）の画素配列の場合、縦方向に画像を移動させた場合にユーザが覚える違和感と、横方向に画像を移動させた場合にユーザが覚える違和感とは異なるようになる。
【００３７】
図１０（ａ）と図１０（ｂ）は、例えばファインダ内表示装置２３が図９（ｃ）に示したように縦方向と横方向の画素ピッチが異なる画素配列を有する場合において、画像を縦方向または横方向に移動させた時の画像を説明する図である。図９（ｃ）に示した画素配列を有するファインダ内表示装置２３の場合、縦方向と横方向の画素ピッチが異なるため、前述したように最小単位で画像の位置を動かした時、縦方向と横方向とで移動量が異なる。図１０（ａ）は、ユーザ１００がファインダ内表示装置２３を覗いている状態で、画像１０１の表示位置を、縦方向に移動させた場合の画像１０２と横方向に移動させた場合の画像１０３とを示した図である。すなわち表示位置を縦方向に移動させた場合の画像１０１と画像１０２と間の縦方向の移動量Ｖ３に対し、表示位置を横方向に移動させた場合の画像１０１と画像１０３と間の横方向の移動量Ｈ１とを比較すると、横方向の移動量Ｈ１の方が大きくなっている。このため、ユーザ１００がファインダ内表示装置２３を覗いている状態で、図１０（ａ）に示すように画像１０１の表示位置を縦方向や横方向に移動させた場合、ユーザ１００は、移動の方向によって異なる違和感を覚えることになる。また、表示位置を縦方向に移動させた場合にユーザが覚える違和感は相対的に少なく、一方、表示位置を横方向に移動させた場合にユーザが覚える違和感は相対的に大きくなる。
【００３８】
第二の実施形態では、このような移動の方向によって異なる違和感を軽減するために、画像を移動表示させる場合には、ユーザがいずれの表示装置を見ているかの判断結果を基に、画像を移動させる方向を切り替えるような表示制御を行う。図１０（ｂ）は、例えばユーザ１０５がファインダ内表示装置２３を覗いていない時に、画像１０１を画像１０７のように横方向に移動量Ｈ２だけ移動させる表示制御を行った例を示している。なお、図１０（ａ）の移動量Ｈ１と図１０（ｂ）の移動量Ｈ２とは同じ移動量であってもよいし、異なっていてもよい。また例えば図１０（ａ）に示すようにユーザ１００がファインダ内表示装置２３を覗いている際に、焼き付き防止のために画像を移動させる制御が必要になった場合には、ユーザ１００にとって違和感が少ない縦方向への移動を行うようにする。
【００３９】
このように、例えばユーザがファインダ内表示装置２３を見ているかどうかの判断結果を基に、画像を移動させる方向を切り替える表示制御を行うことで、焼き付きを防止しつつ、ユーザに違和感を与えない表示を実現できる。
【００４０】
また、図１０（ｃ）に示した画素配列の場合、縦横方向で移動量が異なることによってユーザが違和感を持つことになるため、ユーザがファインダ内表示装置２３を見ているか否かにより移動量を変更してもよいし、移動方向によらず、同一の移動量としてもよい。このように、ユーザがファインダ内表示装置２３を見ているかの判断結果を基に、画像の移動量を変更する表示制御を行うことでも、焼き付きを防止しつつ、ユーザに違和感を与えない表示を実現できる。
【００４１】
図１１（ａ）と図１１（ｂ）には、第二の実施形態における焼き付き防止の際の表示制御のフローチャートを示す。図１１（ａ）は近接検知センサ２４のセンサ出力に応じて画像を移動する方向を決める表示制御のフローチャートを、図１１（ｂ）は近接検知センサ２４のセンサ出力に応じて画像の移動量を変更する表示制御のフローチャートを示している。なお、図１１（ａ）と図１１（ｂ）の説明では、ファインダ内表示装置２３に対する表示制御を例に挙げる。
【００４２】
先ず図１１（ａ）を参照して画像を移動する方向を決める表示制御から説明する。
Ｓ１１１において、ＣＰＵ５１は、近接検知センサ２４のセンサ出力を基に、ユーザの近接を検知しているか否かを判定する。そして、ＣＰＵ５１は、近接検知センサ２４のセンサ出力からユーザがファインダ内表示装置２３に近接していると判定した場合にはＳ１１２に処理を進め、一方、ユーザがファインダ内表示装置２３から離れたと判定した場合にはＳ１１３に処理を進める。
【００４３】
Ｓ１１２に進んだ場合、ＣＰＵ５１は、ファインダ内表示装置２３において画像を移動する場合には第一の方向へ移動させるようにＶＣＯＮＴ５５を制御し、その後、Ｓ１１１に処理を戻す。ここでＳ１１２において画像を移動させる第一の方向は、例えば図１０（ａ）で説明した縦方向となる。
【００４４】
一方、Ｓ１１３に進んだ場合、ＣＰＵ５１は、ファインダ内表示装置２３において画像を移動する場合には第二の方向に移動させるようにＶＣＯＮＴ５５を制御し、その後、Ｓ１１１に処理を戻す。ここでＳ１１３において画像を移動させる第二の方向は、例えば図１０（ｂ）で説明した横方向となる。
【００４５】
次に図１１（ｂ）を参照して画像の移動量を変更する表示制御について説明する。
図１１（ｂ）のＳ１１１では、図１１（ａ）のＳ１１１と同様の判定処理が行われる。Ｓ１１１において、ＣＰＵ５１は、近接検知センサ２４のセンサ出力により、ユーザがファインダ内表示装置２３に近接していると判定した場合にはＳ１１４に処理を進める。一方、ＣＰＵ５１は、ユーザがファインダ内表示装置２３から離れたと判定した場合にはＳ１１５に処理を進める。
【００４６】
Ｓ１１４に進んだ場合、ＣＰＵ５１は、ファインダ内表示装置２３において画像を移動する場合には第一の移動量で移動させるようにＶＣＯＮＴ５５を制御し、その後、Ｓ１１１に処理を戻す。ここでＳ１１４において画像を移動させる第一の移動量は、例えば図１０（ａ）で説明した移動量Ｖ３となる。
【００４７】
一方、Ｓ１１５に進んだ場合、ＣＰＵ５１は、ファインダ内表示装置２３において画像を移動する場合には第二の移動量で移動させるようにＶＣＯＮＴ５５を制御し、その後、Ｓ１１１に処理を戻す。ここでＳ１１５において画像を移動させる第二の移動量は、例えば図１０（ｂ）で説明した移動量Ｈ２となる。
【００４８】
なお、前述の例では、ファインダ内表示装置２３に対する表示制御を例に挙げたが、第二の本実施形態における表示制御は、ファインダ内表示装置２３だけでなく背面表示装置２２に対しても同様に適用可能である。
【００４９】
また、図１１（ａ）と図１１（ｂ）のフローチャートは別々の処理として示しているが、これら両方の表示制御を行うことも可能であり、またファインダ内表示装置２３と背面表示装置２２に対しても同様に両方の表示制御を行うことも可能である。すなわち、ＣＰＵ５１は、ユーザが近接していると判定した場合にはファインダ内表示装置２３における画像の移動方向と移動量を前述したように制御する。一方、ユーザが近接していないと判定した場合には、背面表示装置２２における画像の移動方向と移動量を前述したように制御する。
【００５０】
また、第二の実施形態においても、前述した第一の実施形態で説明したのと同様に、表示装置に対して画像の表示位置を移動させる制御は、その表示装置における積算稼動時間等を基に実行することが望ましい。
【００５１】
前述したように第二の実施形態によれば、表示装置で画像の表示位置を移動させる場合に、ユーザがいずれの表示装置を見ているかにより、移動の方向と移動量の少なくともいずれかを、変更するような表示制御を行う。これにより、第二の実施形態においては、表示装置の焼き付きを防止しつつ、ユーザに違和感を与えない表示を実現できる。
【００５２】
前述した第一、第二の実施形態ではカメラ１１の表示装置を例に挙げて説明してきたが、近接検知センサ、焼き付き防止のための前述した表示制御を行う機能を備えた表示装置であればどのようなものにも適用可能である。図１２（ａ）〜図１２（ｃ）は、映像を表示するテレビジョン受像機１２０に第一、第二の実施形態を適用した場合の例を示した図である。図１２（ａ）に示すようにテレビジョン受像機１２０は、映像が表示される表示パネル１２１と、前述同様に焼き付き防止のための表示制御を行う機能と、近接検知センサ１２２とを備えている。この例の場合の近接検知センサ１２２は、例えば図１２（ｂ）と図１２（ｃ）に示すように、近接検知センサ１２２の検知エリア１２５内にユーザが居るかどうかを検知可能なセンサである。そして、例えば図１２（ｂ）に示すように、近接検知センサ１２２の検知エリア１２５内でユーザが検知されている場合、テレビジョン受像機１２０は、ユーザがテレビジョン映像を見ていると判断する。一方、例えば図１２（ｃ）に示すように、近接検知センサ１２２の検知エリア１２５内でユーザが検知されない場合、テレビジョン受像機１２０は、ユーザがテレビジョン映像を見ていないと判断する。そして、ユーザがテレビジョン受像機１２０を見ているか否かの判断結果を基に、前述した第一、第二の実施形態で説明したような表示制御を行うことで、テレビジョン受像機１２０の焼き付きを防止しつつ、ユーザに違和感を与えない表示を実現できる。
【００５３】
＜第三の実施形態＞
前述したように焼き付き防止のために表示装置に表示する画像を移動させる場合において、例えば表示装置に表示している画像に動きが見られないときに表示位置が動くと、その動きが特に目立つと考えられる。例えば静止画撮影を行っている場合において、被写体にピントが合っていて、これから撮影しようとしたときに画像の表示位置が動くと、ピント位置に意識を集中しているユーザにとって、その画像の移動が非常に目立ち、大きな違和感を受けると考えられる。
【００５４】
第三の実施形態では、このような違和感を無くすために、ピントが合った場合には画像の表示位置を変更しないような表示制御を行う。以下、第三の実施形態の表示制御について図１３（ａ）と図１３（ｂ）を参照しながら説明する。図１３（ａ）はユーザ１３０がファインダ内表示装置２３を覗いている状態で、ユーザに見える画像１３３，１３４，１３５の例を示している。
【００５５】
図１３（ａ）と図１３（ｂ）の例では、ユーザ１３０がカメラ１１のファインダ内表示装置２３を見ながら、例えば画角を広げるようなワイド操作を行い、その画像の中央の人物像にピントを合わせようとしているとする。ワイド操作の最中は画角が変化し、画像１３３から画像１３４のように表示画像そのものが変化するため、例えば表示制御によって画像の表示位置を移動量Ｖ４だけ移動させたとしても、ユーザ１３０はさほど違和感を受けないと考えられる。これに対し、例えば画像１３５のように、ピント位置１３６においてピントが合った状態の時に画像の表示位置が移動すると、ユーザ１３０は大きな違和感を受けることになる。
【００５６】
このため、第三の実施形態のカメラ１１は、画像１３５のようにピントが合った状態では、画像の表示位置を変更することを許可しないような表示制御を行う。そしてカメラ１１は、例えば撮影が終了し、図１３（ｂ）のようにユーザ１３１がファインダ内表示装置２３を見ていない時や、再び構図を決めるためにピントが合っている状態が解消された時に、画像１３７のように表示位置の移動を許可する。なお図１３（ｂ）において、画像の移動量Ｖ５は、図１３（ａ）の移動量Ｖ４と同じであってもよいし、異なっていてもよい。
【００５７】
図１４には、第三の実施形態における焼き付き防止の際の表示制御のフローチャートを示す。
図１４のＳ１４１において、ＣＰＵ５１は、例えば、撮像系デバイスから合焦の結果を表す情報である合焦信号、あるいは画像処理回路系から画像のコントラストに基づく合焦信号を取得し、その合焦信号を基にピントが合ったか否かを判定する。そして、ＣＰＵ５１は、ピントが合っていないと判定した場合にはＳ１４３に処理を進め、一方、ピントが合ったと判定した場合にはＳ１４２に処理を進める。
【００５８】
Ｓ１４２に進んだ場合、ＣＰＵ５１は、ファインダ内表示装置２３における画像の表示位置の移動を許可しないようにＶＣＯＮＴ５５を制御し、その後、Ｓ１４１に処理を戻す。一方、Ｓ１４３に進んだ場合、ＣＰＵ５１は、ファインダ内表示装置２３における画像の表示位置の移動を許可するようにＶＣＯＮＴ５５を制御し、その後、Ｓ１４１に処理を戻す。
【００５９】
第三の実施形態によれば、ピントが合った状態か否かの判定結果を基に、表示装置に対して画像の表示位置の移動を許可するかどうかを決定する。これにより、第三の実施形態においても、表示装置の焼き付きを防止しつつ、ユーザに違和感を与えない表示を実現できる。
【００６０】
前述した第一から第三の実施形態では、ファインダ内表示装置２３と背面表示装置２２の二つの表示装置を例に挙げたが、例えば三つ以上の複数の表示装置が存在する場合にも本発明は適用可能である。例えば、それら複数の表示装置を、近接検知センサが近辺に配された第一の表示装置とそれ以外の第二の表示装置とに分け、近接検知センサが配された表示装置にユーザの近接検知の結果に基づいて、各表示装置に対する表示制御を前述同様に行ってもよい。また、それぞれの表示装置に対応した近接検知センサを設けて、ユーザの近接が検知された表示装置と、ユーザの近接が検知されていない表示装置とに分けて、前述同様の表示制御を行ってもよい。
【００６１】
本発明に係る信号処理における１以上の機能を実現するプログラムは、ネットワーク又は記憶媒体を介してシステム又は装置に供給可能であり、そのシステム又は装置のコンピュータの１つ以上のプロセッサーにより読出し実行されることで実現可能である。また、１以上の機能を実現する回路（例えば、ＡＳＩＣ）によっても実現可能である。
【００６２】
前述の実施形態は、何れも本発明を実施するにあたっての具体化の例を示したものに過ぎず、これらによって本発明の技術的範囲が限定的に解釈されてはならないものである。即ち、本発明は、その技術思想、又はその主要な特徴から逸脱することなく、様々な形で実施することができる。
【符号の説明】
【００６３】
１１：カメラ、２２：背面表示装置、２３：ファインダ内表示装置、２４：近接検知センサ、５１：ＣＰＵ、５５：ＶＣＯＮＴ、５６：ＶＲＡＭ
【図１】
2019200309.tif 000003
【図２】
2019200309.tif 000004
【図３】
2019200309.tif 000005
【図４】
2019200309.tif 000006
【図５】
2019200309.tif 000007
【図６】
2019200309.tif 000008
【図７】
2019200309.tif 000009
【図８】
2019200309.tif 000010
【図９】
2019200309.tif 000011
【図１０】
2019200309.tif 000012
【図１１】
2019200309.tif 000013
【図１２】
2019200309.tif 000014
【図１３】
2019200309.tif 000015
【図１４】
2019200309.tif 000016